(57)【特許請求の範囲】
【請求項１】
圧縮機ユニットのベース架台の側部から片持ち状に突出する支持アームを備えてクーラの荷重を支持するようにしている圧縮機ユニットのクーラ支持装置であって、下端に水平な設置板を有し上端に水平な支持板を有して前記支持アームの下側に鉛直に配置される脚部材と、前記支持アームの突出方向に対して左右側面に嵌合するよう対峙して前記支持板に突設したガイド板と、該ガイド板の相互間に昇降可能に配置した可動プレートと、該可動プレートを押し上げて前記支持アームの下面に押圧するよう前記支持板に貫通配置した複数の調整ボルトと、からなることを特徴とする圧縮機ユニットのクーラ支持装置。
【請求項２】
前記支持板に、前記支持アームの突出方向に対して前後方向に前記可動プレートが脱落するのを防止するストッパを備えたことを特徴とする請求項１記載に記載の圧縮機ユニットのクーラ支持装置。
【発明の詳細な説明】
【技術分野】
【０００１】
本発明は、圧縮機ユニットのクーラ支持装置に関するものである。
【背景技術】
【０００２】
図４は従来から実施されている圧縮機ユニットの一例を示した左側面図、図５は図４の平面図、図６は図４をＶＩ−ＶＩ方向から見た正面図であり、圧縮機ユニットＵは、ベース架台１上に、１台の駆動モータ２と、該駆動モータ２で駆動される図示しない大歯車を有し該大歯車の周方向に配置されたピニオンによって駆動される複数の圧縮機により多段圧縮を行う圧縮装置３を有しており、前記圧縮機ユニットＵは工場で製作された後、現地に設けられた基礎４上に前記ベース架台１を設置することによって据え付けられる。
【０００３】
図４〜図６は、Ａ気体とＢ気体を同時に圧縮する場合を示しており、Ａ気体が空気の場合には、Ａ気体は実線矢印で示すように、フィルタ５から第１段圧縮機６に供給されて１段目圧縮が行われた後、第１段インタークーラ７により冷却され、続いて、第２段圧縮機８に供給されて２段目圧縮が行われた後、取出口９から取り出される。
【０００４】
又、Ｂ気体は破線矢印で示すように、取入口１０から取り入れられて第１段圧縮機１１に供給されることより１段目圧縮が行われた後、第１段インタークーラ１２により冷却され、続いて、第２段圧縮機１３に供給されることにより２段目圧縮が行われた後、第２段インタークーラ１４により冷却されて、取出口１５から取り出される。前記圧縮機ユニットＵでは圧縮するＡ気体とＢ気体が同一の場合と異なる場合とがあり、又、図示例では夫々２段圧縮を行う場合について例示したが更に多段に圧縮するようにしたものもある。
【０００５】
前記基礎４が設けられる床部には、前記圧縮装置３の潤滑油等が漏洩した際に油を溜めておくための防油堤１６が基礎４を取り囲むように設けられている。
【０００６】
尚、前記第２段圧縮機８で圧縮した後取出口９から取り出されるＡ気体は、圧縮機ユニットＵとは別個に床上に設けられる図示しない第２段インタークーラに導いて冷却するようにしている。
【０００７】
上記圧縮機ユニットＵでは、図５、図６に示すように第１段インタークーラ７が大型となるため、ベース架台１の側部に片持ち状にコモンベッドと称される支持アーム１７を突設し、この支持アーム１７上に第１段インタークーラ７の下面に設けた水平な脚１８を載置して重量を支持するようにしている。従って、支持アーム１７の先端１７'は、平面視において第１段インタークーラ７の重心位置よりも外側（インタークーラ７の重心位置を挟んで基礎４の反対側）に突出している。
【０００８】
上記した圧縮機ユニットＵにおいて、前記支持アーム１７によって支持されている第１段インタークーラ７の上部に、外部に別置している第２段インタークーラを２段重ねで載置することが要求される場合がある。
【０００９】
しかし、このようにクーラを２段重ねに設けた場合には、重量が増加するためにベース架台１の側部から片持ち状に突出した支持アーム１７では重量を支え切れない可能性がある。
【００１０】
従って、従来、このような要求が生じた場合には、支持アーム１７の先端１７'側の下部に支持台１９を外部から矢印Ｓ（図８参照）で示すように挿入して設置し、クーラの荷重を支持するようにしている。この支持台１９は、図７、図８に示すように、Ｃ形鋼の下端に直角に設置板２０が固定された脚部材２１の上端に、受け板２２が直角に固定されており、前記設置板２０をアンカーボルト２３によって床に固定し、又、前記受け板２２上面と前記支持アーム１７との間にシム２４を挿入することによって前記２段重ねのクーラの重量を支持するようにしている。図中、２５は第１段インタークーラ７に備えているドレン管、２６はドレンポットである。
【００１１】
尚、本発明に関連する先行技術文献としては多段圧縮機が記載された特許文献１がある。
【先行技術文献】
【特許文献】
【００１２】
【特許文献１】特開平１１−１１７８７０号公報
【発明の概要】
【発明が解決しようとする課題】
【００１３】
図７、図８に示したように、シム２４を用いた従来の支持台１９では、シム２４を緊密な状態に支持するために支持台１９を堅固な構造とする必要があり、このために支持台１９をアンカーボルト２３によって床に固定している。しかし、支持台１９を設置する場所の近傍には防油堤１６が設けられていると共に、ドレン管２５及びドレンポット２６が配置されているためにこれらが障害物となって非常に狭隘であり、従って、前記支持台１９をアンカーボルト２３で固定する作業が非常に困難或いは不可能であったり、又、シム２４による調整作業が困難になるという問題を有していた。
【００１４】
本発明は、上記従来の問題点に鑑みてなしたもので、クーラを支持する支持アームの荷重を、簡単な構成、操作で容易に支持できるようにした圧縮機ユニットのクーラ支持装置を提供することを目的とする。
【課題を解決するための手段】
【００１５】
請求項１に係る発明は、圧縮機ユニットのベース架台の側部から片持ち状に突出する支持アームを備えてクーラの荷重を支持するようにしている圧縮機ユニットのクーラ支持装置であって、下端に水平な設置板を有し上端に水平な支持板を有して前記支持アームの下側に鉛直に配置される脚部材と、前記支持アームの突出方向に対して左右側面に嵌合するよう対峙して前記支持板に突設したガイド板と、該ガイド板の相互間に昇降可能に配置した可動プレートと、該可動プレートを押し上げて前記支持アームの下面に押圧するよう前記支持板に貫通配置した複数の調整ボルトと、からなることを特徴とする圧縮機ユニットのクーラ支持装置である。
【００１６】
請求項２に係る発明は、前記支持板に、前記支持アームの突出方向に対して前後方向に前記可動プレートが脱落するのを防止するストッパを備えたことを特徴とする請求項１記載に記載の圧縮機ユニットのクーラ支持装置である。
【発明の効果】
【００１７】
本発明の圧縮機ユニットのクーラ支持装置よれば、支持板のガイド板間に可動プレートを配置した後、脚部材を支持アームの下側に鉛直に配置し、支持板に備えた調整ボルトを調節して可動プレートを上昇させると、可動プレートは前記支持アームの下面に押圧されるので、これにより可動プレートに掛る荷重を、簡単な構成の支持装置により簡略な操作で支持できるという優れた効果を奏し得る。
【図面の簡単な説明】
【００１８】
【図１】本発明の実施例である圧縮機ユニットのクーラ支持装置の一例を示す右側面図である。
【図２】図１のＩＩ−ＩＩ方向矢視図である。
【図３】図１に示した支持装置の他の例を示す右側面図である。
【図４】従来における圧縮機ユニットの一例を示した左側面図である。
【図５】図４の平面図である。
【図６】図４をＶＩ−ＶＩ方向から見た正面図である。
【図７】従来の支持台を示す右側面図である。
【図８】図７のＶＩＩＩ−ＶＩＩＩ方向矢視図である。
【発明を実施するための形態】
【００１９】
以下、本発明の実施の形態を図示例と共に説明する。
【００２０】
図１は本発明の実施例である圧縮機ユニットのクーラ支持装置の一例を示す右側面図、図２は図１のＩＩ−ＩＩ方向矢視図であって、図中、図７及び図８と同一の符号を付した部分は同一物を表わしている。
【００２１】
図４〜図６に示したように、圧縮機ユニットＵのベース架台１の側部から第１段インタークーラ７（クーラ）の重心位置よりも外側（第１段インタークーラ７の重心位置を挟んで基礎４の反対側）に片持ち状に突出して第１段インタークーラ７（クーラ）を支持するようにした支持アーム１７の先端１７'側の下側に、図１〜図３に示す支持装置２７を配置する。
【００２２】
支持装置２７は、下端に水平な設置板２８を有し上端に水平な支持板２９を有して前記支持アーム１７の下側に挿入することにより鉛直に配置し得るようにした脚部材３０を有している。脚部材３０はＣ形鋼によって形成されている。前記支持板２９は脚部材３０よりも幅方向（図１の左右方向）外側に延長されており、前記支持板２９の延長した端部上には、前記支持アーム１７の突出方向に対して左右側面に嵌合するように対峙して突出したガイド板３１を設けている。該ガイド板３１の相互間には可動プレート３２が昇降可能に配置されている。更に、前記支持板２９における前記ガイド板３１の内側位置には、前記可動プレート３２を押し上げて前記支持アーム１７の下面に押圧するようにした複数の調整ボルト３３が貫通配置されている。この調整ボルト３３はＣ形鋼からなる脚部材３０の幅方向外面（図１の左右側面）に対して調整ボルト３３を回転させられる間隔を有して１本ずつ配置されている。３３ａは、前記調整ボルト３３の緩みを防止するための固定ナットである。
【００２３】
また、前記支持板２９には、前記支持アーム１７の突出方向に対して前後方向に前記可動プレート３２が脱落するのを防止するためのストッパ３４を備えている。
【００２４】
図３は図１に示した支持装置２７の他の例を示す右側面図であり、この支持装置２７は、調整ボルト３３をＣ形鋼からなる脚部材３０の幅方向内側に備えるようにした場合を示している。
【００２５】
次に、上記実施例の作動を説明する。
【００２６】
前記支持アーム１７によって支持されている第１段インタークーラ７の上部に、外部に設けられる第２段インタークーラを２段重ねで載置することが要求された場合には、前記支持板２９のガイド板３１間に可動プレート３２を配置した脚部材３０を、片持ち状に突出してクーラの荷重を支持する支持アーム１７の先端１７'側の下側に挿入して鉛直に配置する。続いて、支持板２９に備えた調整ボルト３３を外部からスパナ等の工具を用い回転させて可動プレート３２を上昇させると、可動プレート３２は前記支持アーム１７の下面に押圧される。これにより支持アーム１７に支持されたクーラの荷重は、可動プレート３２、調整ボルト３３及び支持板２９を介して脚部材３０に支持されるようになる。
【００２７】
このとき、前記支持装置２７を設置する場所の近傍に防油堤１６、ドレン管２５及びドレンポット２６等の障害物が配置されていても、支持装置２７はこれらの障害物を避けて容易に設置することができ、また、調整ボルト３３の調整もこれらの障害物を避けて容易に操作することができ、よって、簡単な構成の支持装置２７によって簡略な操作で支持アーム１７を確実に支持できるようになる。即ち、支持装置２７の設置作業において、作業者は防油提１６の外側から図３の支持装置２７に向かって正面からの作業のみで調整ボルト３３の調整を行うことができ、しかもこのとき、支持装置２７は正面側から見て調整ボルト３３や可動プレート３２の周囲に邪魔なものが無く、且つ、ガイド板３１の相互間が開口して可動プレート３２の動きを確認しつつ作業することができ、更に、支持装置２７の裏側などに腕を伸ばして作業する必要がないため、楽な姿勢で容易に調整ボルト３３の調整を行うことができる。
【００２８】
従って、工場で製造された圧縮機ユニットＵを設置現場に設置する段階で、第１段インタークーラ７の上部に第２段インタークーラを２段重ねで載置する要求が発生しても、その要求に容易に応えることができる。
【００２９】
尚、前記支持装置２７は支持アーム１７をも含めた支持機構と捉えることも可能であり、このような支持装置は、第１段インタークーラ７の支持だけでなく、圧縮機ユニットＵに設けられている他の様々な構造物、例えば吸入フィルタ５、駆動モータ２、制御盤（図示せず）等の支持にも適用することができる。
【００３０】
更に、本発明の圧縮機ユニットのクーラ支持装置は、上述の実施例にのみ限定されるものではなく、本発明の要旨を逸脱しない範囲内において種々変更を加え得ることは勿論である。
【符号の説明】
【００３１】
１  ベース架台
７  第１段インタークーラ（クーラ）
１７  支持アーム
２７  支持装置
２８  設置板
２９  支持板
３０  脚部材
３１  ガイド板
３２  可動プレート
３３  調整ボルト
３４  ストッパ
Ｕ    圧縮機ユニット
【図１】
0005482497.tif 000002
【図２】
0005482497.tif 000003
【図３】
0005482497.tif 000004
【図４】
0005482497.tif 000005
【図５】
0005482497.tif 000006
【図６】
0005482497.tif 000007
【図７】
0005482497.tif 000008
【図８】
0005482497.tif 000009